(57)【特許請求の範囲】
【請求項１】
手袋の指部に保護治具が配置された安全手袋であって、
上記保護治具は、上記指部の軸に沿って延在するコイルスプリングと、上記コイルスプリングの少なくとも指先側の外周に配置されたプレートと、を有し、
上記プレートの内面に突起が設けられ、その突起が、上記コイルスプリング間に配置されることを特徴とする安全手袋。
【請求項２】
上記保護治具は、上記指部内に設けられることを特徴とする請求項１に記載した安全手袋。
【請求項３】
上記コイルスプリングは、上記指部内に差し込まれた指の外周を、指の軸に沿って指先側から指の付け根側に向けて覆い、
上記プレートは、上記指部内に差し込まれた指における爪位置及び爪から指先までの位置と、上記コイルスプリングを挟んで対向する位置に配置されていることを特徴とする請求項１又は請求項２に記載した安全手袋。
【請求項４】
上記プレートは、断面円弧状の部品であって、指の腹側が開放されていることを特徴とする請求項１〜請求項３のいずれか１項に記載した安全手袋。
【請求項５】
上記保護治具は、手袋から脱着可能に上記指部内に差し込まれており、
上記プレートは、上記コイルスプリングに対し離脱可能となっていることを特徴とする請求項１〜請求項４のいずれか１項に記載した安全手袋。
【請求項６】
上記コイルスプリングとして、指先から指の付け根側までの長さの長尺スプリングと、指の第１関節と該第１関節よりも指先のみを覆う長さの短尺スプリングとを備え、上記指部に対し、上記長尺スプリングと短尺スプリングとの一方のスプリングを上記指部に取り付けることを特徴とする請求項５に記載した安全手袋。
【請求項７】
上記手袋の甲側に、対衝撃用緩衝材が設けられていることを特徴とする請求項１〜請求項５のいずれか１項に記載した安全手袋。
【請求項８】
手袋の指部内側に保護治具が着脱可能に配置され、上記保護治具は、上記指部の軸に沿って延在するコイルスプリングと、上記コイルスプリングの外周に配置されたプレートとを有し、上記プレートの内面に設けられた突起が上記コイルスプリング間に配置される安全手袋の使用方法であって、
上記コイルスプリングとして、指先から指の付け根側までの長さの長尺スプリングと、指の第１関節と該第１関節よりも指先のみを覆う長さの短尺スプリングとを有し、
作業時の手の指の挟圧リスクに応じて、上記長尺スプリングと短尺スプリングの一方を選択して上記指部に装着した状態で、当該安全手袋を使用することを特徴とする安全手袋の使用方法。
【発明の詳細な説明】
【技術分野】
【０００１】
本発明は、手指の挟圧リスクのある作業で使用される安全手袋の技術に関する。
【背景技術】
【０００２】
指を保護可能な安全手袋としては、例えば特許文献１や特許文献２に記載の安全手袋がある。
特許文献１には、手袋の指先部を包み込むようにして、コイルスプリングを配置することが記載されている。このコイルスプリングによって、指先に対する耐衝撃性能を向上する。
【０００３】
また特許文献２には、手袋に対し、指先側から指の付け根まで、円筒状の安全保護具を複数箇所取り付けることが記載されている。そして、プラスチックや金属製の円筒状の安全保護具にて、指に対する耐衝撃性能を向上させている。
しかしながら、安全保護具としてのコイルスプリングは、ハンマーによる打撃など瞬間的な衝撃には耐性が高いが、設備への挟まれなど、継続的な強い圧力によってコイルスプリングが倒れてしまって、指が滅創してしまうおそれがある。即ち、耐挟圧性に課題がある。
【０００４】
また、円筒状の安全保護具を指部に入れての保護は、継続的な強い圧力への耐性はあるが、手袋を着けた際に指を曲げられるようにするためには、指の関節部に所要以上の隙間を空ける必要がある。このため指全体を保護するのは困難という課題があった。
なお、手袋の甲に金属または樹脂のプレートを用いる耐挟圧手袋の場合、指先への挟圧については耐挟圧性能がない。
【先行技術文献】
【特許文献】
【０００５】
【特許文献１】実開昭６２−１８２９２０号公報
【特許文献２】実用新案登録第３０８７５４２号公報
【発明の概要】
【発明が解決しようとする課題】
【０００６】
本発明は、上記のような点に着目してなされたもので、設備への挟まれなど、継続的な強い圧力に対する指全体の狭圧耐性と作業性との両立が可能な安全手袋を提案することを目的としている。
【課題を解決するための手段】
【０００７】
課題を解決するために、本発明の一態様によれば、手袋の指部に保護治具が配置された安全手袋であって、上記保護治具は、上記指部の軸に沿って延在するコイルスプリングと、上記コイルスプリングの少なくとも指先側の外周に配置されたプレートと、を有する。
上記保護治具は、指部内に着脱可能に設けることが好ましい。
また、プレートは少なくとも指先側に存在していればよい。
また作業性を考慮すると、プレートは、指の腹側が開放されていることが好ましい。
【発明の効果】
【０００８】
本発明の一態様である安全手袋によれば、コイルスプリングとプレートによって指を保護することで、設備への挟まれなど、継続的な強い圧力に対する指全体の狭圧耐性と作業性との両立が可能となる。
ここで、コイルスプリングが挟圧されると、コイルスプリングが軸方向に倒れ込もうとするが、プレートがその倒れ込みを抑える。この結果、コイルスプリングによって、指の挫滅が抑えられて、コイルスプリングの耐挟圧性が向上する。
【０００９】
これによって、プレートで保護されていない指部分があっても、指に対する耐挟圧性を備えた手袋とすることが可能となる。
【図面の簡単な説明】
【００１０】
【図１】本発明に基づく実施形態に係る安全手袋を示し甲側からみた外観図である。
【図２】手袋内に設けられた保護治具の状態を示す、手袋を省略した図である。
【図３】長尺スプリングの例を示す図である。
【図４】短尺スプリングの例を示す図である（但し、親指用は長尺コイルを例示している）。
【図５】手袋に入れた指と保護治具との関係を示す図である。
【図６】指をコイルスプリングだけで保護した状態で挟圧された場合を例示する図であり、（ａ）は挟圧前、（ｂ）は挟圧時の状態を示す模式図である。
【図７】指を円筒状の治具だけで保護した状態で挟圧された場合を例示する図であり、（ａ）は挟圧前、（ｂ）は挟圧時の状態を示す模式図である。
【図８】本発明に基づく保護治具で指を保護した状態で挟圧された場合を例示する図であり、（ａ）は挟圧前、（ｂ）は挟圧時の状態を示す模式図である。
【図９】コイルスプリングとプレートとの関係の変型例を示す図である。
【発明を実施するための形態】
【００１１】
次に、本発明の実施形態について図面を参照しつつ説明する。
（構成）
本実施形態の安全手袋は、図１に示すような手袋１の指部１Ａに、保護治具４（図２を参照）が設けられた構成となっている。
本実施形態の手袋１は、図１に示すように、手の甲や指の甲、手の側面側に対し、対衝撃用緩衝材１０が設けられている。対衝撃用緩衝材１０は、例えば指の動きやすさを考慮して、可撓性のゴム材から構成され、且つ凹凸状に形成されている。
【００１２】
保護治具４は、図２に示すように、指部１Ａの軸に沿って延在するコイルスプリング２と、上記コイルスプリング２の少なくとも指先側の外周に配置されたプレート３とからなる。
本実施形態の保護治具４は、着脱可能に指部１Ａ内に設けられる場合の例である。保護治具４は、手袋１の指部１Ａの外周側に設けても良いが、着脱性や、手袋１の作業性等から、指部１Ａの内側に設けることが好ましい。
【００１３】
コイルスプリング２は、図３や図４に示すように、上記指部１Ａ内に差し込まれた指の外周を、指の軸に沿って指先側から指の付け根側に向けて覆い可能に、上記指部１Ａに装着可能となっている。
コイルスプリング２は、図３や図４に示すように、円筒状の体部２ａと先端部２ｂとからなる。先端部２ｂでは、先端に向かうにつれて直径が小さくように構成されていて、外周輪郭が円錐台形状（コーン状）となっている。
【００１４】
ここで、先端部２ｂとは、手袋１の指部１Ａに差し込まれた指の、少なくとも第１関節よりも指先側と対向可能な部分を指す。コイルスプリング２の先端の径は、例えば５ｍｍ以下となっていて、通常の大人の指先が上記コーン状の先端部２ｂ内に引っかかるようになっている。
図３は、コイルスプリング２として、指先から指の付け根側までの長さの長尺スプリング２Ａを例示している。指の付け根側とは、少なくとも指の第２関節と第３関節の途中位置までを覆い可能な長さを言う。
【００１５】
図４は、コイルスプリング２として、指の第１関節と該第１関節よりも指先のみを覆う長さの短尺スプリング２Ｂを例示している。短尺スプリング２Ｂは、図４に示すように、先端部２ｂだけから構成される。
なお、コイルスプリング２の断面形状は、円形状以外の四角形状などであっても良い。
プレート３は、図５に示すように、コイルスプリング２の先端部２ｂ外周に配置される。プレート３は、例えば、鉄板、アルミ板、チタン板などの金属、または、硬質プラスチックなどから構成される。
【００１６】
すなわち、プレート３は、指部１Ａ内に差し込まれた指２０における、少なくとも爪位置及び爪から指先までの位置と、上記コイルスプリング２を挟んで対向する位置に配置される。
プレート３の形状は、幅方向に断面円弧状の板部材である。プレート３の側面視での高さ、つまり円弧の高さは、指２０の厚さ以上に設定することが好ましい。
【００１７】
またそのプレート３の形状は、上面視で、指先側が台形状や円弧状等となっていって、先端に向かうにつれて幅が小さくなるように形成されている。
このプレート３は手の甲側を覆うように配置されることで、指２０の腹側が開放されている。このプレート３は筒形状でも良いが、指２０の腹側にもプレートがある分、手袋１としての作業性が悪くなる。
【００１８】
（使用例その他）
手袋１の指部１Ａに対し、それぞれ、先端部２ｂにプレート３を載せたコイルスプリング２を挿入することで装着する。若しくは、図５のように、手の指に付けた状態で、手袋１に指２０を差し込む事で、上記保護治具４を手袋１の指部１Ａ内に差し込む。
このとき、コイルスプリング２のコーン状になっている先端部２ｂにプレート３を配置することで、コイルスプリング２に対しプレート３が仮止めされた状態で、指部１Ａ内に保護治具４を挿入することが出来る。
【００１９】
また、コイルスプリング２の先端部２ｂが先細りのコーン状になっていることから、コイルスプリング２が指部１Ａに対し浅く差し込まれていても、指２０を指部１Ａ内に差し込んだ際に、指先でコイルスプリング２及びプレート３が指部１Ａの先端側に押されて、コイルスプリング２は所定位置まで指部１Ａに差し込まれた状態になる。またこの場合には、コイルスプリング２の先端部２ｂ内に、手の指先がより確実に配置され易くなる。
また本実施形態のように、コイルスプリング２として長尺スプリング２Ａと短尺スプリング２Ｂとを備える場合には、作業時の手の指２０の挟圧リスクに応じて、長尺スプリング２Ａと短尺スプリング２Ｂの一方を選択して各指部１Ａに装着した状態で、安全手袋を使用すればよい。
【００２０】
（本実施形態の効果について）
ここで、図６（ａ）のように、保護治具４がコイルスプリング２だけの場合には、手袋１の指部１Ａに対し継続的な圧力を受けると、図６（ｂ）のように、コイルスプリング２自体が斜めに倒れこんでしまいやすくなる。そして、コイルスプリング２が斜めに倒れ込み、コイルスプリング２内の空間（隙間）が指２０の厚さより薄くなってしまうまで挟圧されると、コイルスプリング２で指２０を挫滅創してしまう。符号３０は、挟圧部品を表す。
【００２１】
また、図７（ａ）のように、保護治具４が円筒形状のプレート３だけから構成された場合には、図７（ｂ）のように、プレート３間の隙間が挟圧部品で挟圧されると、指２０が挫滅するおそれがある。
これに対し、図８（ａ）のように、指２０全体をコイルスプリング２で覆うと共に、指先側（コイルスプリング２の先端部２ｂ側）にプレート３を配置した場合には、指先側が挟圧されたときには、図８（ｂ）のように、先にプレート３部分が挟圧されて保護される。またプレート３がない部分が挟圧された場合でも、図８（ｂ）のように、コイルスプリング２のうち、プレート３下の先端部２ｂの倒れこみが当該プレート３によって抑制される。このため、プレート３と対向していない、指２０の第３関節から第１関節までの間のコイルスプリング２が倒れこもうとしても、先端部２ｂの形状が保持されていることから、コイルスプリング２全体の倒れこみを小さく抑えることが可能となる。この結果、プレート３がない部分が挟圧された場合でも、指２０がコイルスプリング２で保護され、且つコイルスプリング２の倒れによる挫滅も抑えられる。
【００２２】
ここで、図９のように、プレート３の内面に突起３ａを設けて、突起３ａをコイルスプリング２間に配置することで、プレート３の位置決めをより確実にしたり、上記のコイルスプリング２の倒れ抑制をより確実にするようにしたりしても良い。またプレート３の内面側に対し、ゴムなどの摩擦抵抗の大きな部材を設けることで、プレート３の位置決めなどをより確実にしても良い。
【００２３】
作業性の観点からは、コイルスプリング２により、手の関節部の可動を可能にできるので指２０全体をコイルスプリング２で覆うことができるが、スプリングを曲げるには力を要する。これに鑑み、狭圧リスクに応じて、コイルスプリング２のみ、プレート３のみ、両方なし、を指２０ごとに選択して入れ替えることのできるようにしても良い。例えば、母指、示指のみに挟圧のリスクのある作業の場合は、それ以外の指２０のコイルスプリング２とプレート３を取り外すことで作業性をあげることが可能となる。
【００２４】
本実施形態では、長尺スプリング２Ａと短尺スプリング２Ｂとを選択的に使用可能であるので、挟圧リスクが低い場合には、上記のように短尺スプリング２Ｂを部分的または全体として採用することで手袋１の作業性を上げることも可能である。
また本実施形態では、少なくとも指先の腹側にはプレート３がないことからも手袋１の作業が良い。
【００２５】
また、甲部分の狭圧リスクについては、挟圧時、指２０のスプリングで甲の厚さまでのスペースを確保することが可能である。よって、実用新案登録第３１４３８８３号に示す金属または樹脂製のプレート３を甲に配置する必要がなくなる。しかし、コイルスプリング２と指先のプレート３とを使用した安全手袋における甲は、瞬時の耐衝撃性はないので、作業性の悪くなるプレート３ではなく、容易に変形して衝撃を緩衝できるゴムやゲルなどの対衝撃用緩衝材１０を配置することが好ましい。
【００２６】
安全手袋１の外側の素材としては、切創リスクのある作業においては耐切創素材、火傷リスクのある作業においては耐熱素材、薬傷リスクのある作業においては耐薬液素材等を選択して変更できるようにすることが望ましい。
以上のように、本実施形態の安全手袋によれば、コイルスプリングとプレートによって指を保護することで、設備への挟まれなど、継続的な強い圧力に対する指全体の狭圧耐性と作業性との両立が可能となる。
【符号の説明】
【００２７】
１     手袋
１Ａ   指部
２     コイルスプリング
２Ａ   長尺スプリング
２Ｂ   短尺スプリング
２ａ   体部
２ｂ   先端部
３     プレート
４     保護治具
１０   対衝撃用緩衝材
２０   指
３０  挟圧部品
３ａ  プレート突起
【図１】
0006524935.tif 000002
【図２】
0006524935.tif 000003
【図３】
0006524935.tif 000004
【図４】
0006524935.tif 000005
【図５】
0006524935.tif 000006
【図６】
0006524935.tif 000007
【図７】
0006524935.tif 000008
【図８】
0006524935.tif 000009
【図９】
0006524935.tif 000010